(57)【要約】【課題】本発明は、簡単な構成により安値で消費者に供給可能であり、身体の荷重を利用して運動することによって使用者が運動を適切に調節することができ、男性の性巣部を構成する全ての筋肉が鍛練されて特に年を取った老人も活発な性生活を維持することができるようにした性巣部鍛練器具を提供する。【解決手段】本発明の性巣部鍛練器具は、上端に嵌合凹部１１が形成された、腰を据えるための断面円形状の据え載せ具１０と、前記据え載せ具の嵌合凹部に嵌合される嵌合突起２１が下部に形成された摩擦具２０と、前記据え載せ具の下部に嵌合されて据え載せ具を支持する脚３０と、前記脚の下部が結合される板形状の踏み台４０と、前記踏み台４０上部に使用者の足を支持することができるように固定された左右一対の足支持台８０，８０と、前記踏み台の一方の側に立設された取っ手５０とからなることを特徴とする。【選択図】図１
2005006707.tif 000002
【特許請求の範囲】
【請求項１】
上端に嵌合凹部が形成され断面が円形状または丸い形状の、腰を据えるための据え載せ具と、
前記据え載せ具の嵌合凹部に嵌合されるか、またはそのための嵌合突起が下部に形成された摩擦具と、
前記据え載せ具の下部に嵌合されて据え載せ具を支持する脚と、
前記脚の下部が結合される板形状の踏み台と、
前記踏み台上部に、使用者の足を支持することができるように固定された左右一対の足支持台と、
前記踏み台の一方の側に立設された取っ手と
からなることを特徴とする性巣部鍛練器具。
【請求項２】
前記摩擦具が嵌合される嵌合凹部には少なくとも一つの弾性スプリングがさらに備えられて成ることを特徴とする請求項１に記載の性巣部鍛練器具。
【請求項３】
前記摩擦具の上下移動が可能であるように据え載せ具の下部に設置される高低調節具がさらに備えられて成ることを特徴とする請求項１に記載の性巣部鍛練器具。
【請求項４】
前記高低調節具は、摩擦具が支持される受け台と、前記受け台の中央を支持するボルトと、前記ボルトの下端に形成された取っ手と、前記据え載せ具の底部に付着されて前記ボルトと対応する締結ナットとを含んで成ることを特徴とする請求項３に記載の性巣部鍛練器具。
【発明の詳細な説明】
【０００１】
【発明の属する技術分野】
本発明は、男性の性機能の回復や維持または尿失禁防止等のために性巣部周辺の筋肉を鍛錬する器具に関する。
【０００２】
【従来の技術】
男性の勃起不能などのような性機能低下はありふれた現象であり、特に年を取るほど性機能は大きく減少する実情にあり、これに伴って性生活が不自由になり生に対する意欲を喪失する場合が頻繁に発生する。
【０００３】
前記のような問題点を解決するために男性の性巣部を鍛錬する多くの装置が開発されている。その中で代表的なものが保形物を外科的手法で挿入したり、非侵入型の装置を利用することである。しかしながら、外科的手法による保形物の挿入には多大な費用がかかるだけでなく、通常手術に伴う患者の危険負担という問題がある。また、非侵入型の装置は安値ではあるが、使用及び管理が煩わしいという問題点がある。
【０００４】
前記問題点を解決するために韓国実用新案登録出願公開番号第１９９９−１９９３８号の男性運動機具が発明されている。
【０００５】
これは、一方の側の端部が閉鎖されている上端チューブと、前記上端チューブに連続して連結された多段のチューブと、前記チューブ内を減圧させるための排気を行うように前記一方の側端部に設置されたチューブ排気口と、前記チューブ排気口に一端が連結されたホースと、前記ホースの他端と連結されて収縮、膨脹により前記チューブ内を減圧させるスポイトとを含む男性運動機具において、前記上端チューブと多段のチューブは互いに隣接したものに対して螺合により結合され、チューブの長さを調節し結合力を強化するために螺合部に締結具が密着されており、前記上端チューブの内部には挿入された男性器の接触によってチューブの長さ方向に往復移動できる保護膜と、前記保護膜に連動して前記安全ピンを作動させる安全ピン作動棒が設けられ、前記スポイトには収縮を自動的に調節することができる収縮調節手段が設けられたことを特徴とする。
【０００６】
上記の特徴を有する従来の男性運動機具は、周期的に行われるスポイトの膨脹・収縮と安全ピンの開放・閉鎖が自動調節されることができ、安全ピンを適時に操作してチューブ内の減圧状態を適切に維持することができるだけでなく、多段に構成されたチューブの結合が円滑であり耐久性が増加する効果がある。
【０００７】
しかしながら、構成要素が多くて生産単価の増大をもたらし消費者価格が高価であるだけでなく、強化される筋肉要素が主として男性の特定部分のみに限定されているため、性機能低下の全体的な問題は解決できない。
【０００８】
また、チューブ内の減圧状態をチェックする安全ピンや収縮調節手段に動力を伝達するモータなどが故障を起こした場合、無理な運動によってむしろ逆効果が現れるという問題点がある。
【０００９】
【特許文献１】韓国実用新案登録出願公開１９９９−１９９３８号公報
【００１０】
【特許文献２】実公平１−１１２１８号公報
【００１１】
【特許文献３】特開２００１−２９９７９５号公報
【００１２】
【特許文献３】特許２７２４８６５号公報
【００１３】
【発明が解決しようとする課題】
本発明は前記のような従来の男性の性巣部筋肉を鍛錬する運動機具が有した問題点を解決するために発明されたもので、本発明の目的は、簡単な構成により安値で消費者に供給可能であり、身体の荷重を利用して運動することによって使用者が運動を適切に調節することができ、男性の性巣部を構成する全ての筋肉が鍛練されて特に年を取った老人も活発な性生活を維持することができるようにした性巣部鍛練器具（男性機能用筋肉鍛錬器具）を提供することにある。
【００１４】
【課題を解決するための手段】
前記目的を達成するための手段である本発明の性巣部鍛練器具は、上端に嵌合凹部が形成された丸い形状の、腰を据えるための据え載せ具と、据え載せ具の嵌合凹部に嵌合されるか、またはそのための嵌合突起が下部に形成された摩擦具と、据え載せ具の下部に嵌合されて据え載せ具を支持する脚と、脚の下部が結合される板形状の踏み台と、踏み台上部に使用者の足を支持することができるように固定された左右一対の足支持台と、踏み台の一方の側に立設された取っ手とからなることを特徴とする。
【００１５】
また、前記摩擦具が嵌合される嵌合凹部には少なくとも一つの弾性スプリングがさらに備えられて成ることを特徴とし、摩擦具の上下高さ調節が可能であるように据え載せ具の底部に高低調節具がさらに備えられることが好ましい。
【００１６】
前記のような特徴を有する本発明の性巣部鍛練器具は、使用者が騎馬姿勢で据え載せ具に座った状態で上体を前後進反復動作を遂行することによって摩擦具に密着される性巣部の筋肉が摩擦具との摩擦により強化されるもので、使用が簡単且つ安値で消費者に供給可能であり、老人のように気力の弱い場合にも容易に運動効果を得ることができる。
【００１７】
特に男性が意識的に自制できない早漏現象を防止し、陰茎の基部を構成する尿道海綿体の球状部と二つの陰茎海綿体の勃起円柱を囲む横紋筋及び隣接している会陰筋の筋肉が鍛練されるため、勃起不全や射精不能などのような性機能障害要因が解決される。
【００１８】
【発明の実施の形態】
以下、本発明の性巣部鍛練器具の構成及び作用を、添付した図面に基づいて、より詳細に説明する。
【００１９】
図１は本発明の性巣部鍛練器具を示した斜視図であり、図２は本発明の性巣部鍛練器具の主要部の構成を示した一部省略断面図である。
【００２０】
図示されているように、本発明の性巣部鍛練器具の据え載せ具１０は、使用者が座る場合、尻部が据え載せ具に密着されるように、少なくとも上半部において、周面が断面円弧状その他の丸い形状に形成されている。前記据え載せ具１０の上端に形成された嵌合凹部１１に嵌合している隆起状の摩擦具２０は、下部に嵌合突起２１が形成され、この嵌合突起２１が前記据え載せ具１０の上部嵌合凹部１１に嵌合されることによって固定される。
【００２１】
前記摩擦具２０は前記据え載せ具１０と一体に形成してもよい。つまり、据え載せ具１０を形成するに当たって上部側に摩擦具２０の形状と同一な形状に据え載せ具１０の上端側より約５ｍｍ程度さらに突設されるようにして形成すればよく、このため前記据え載せ具１０の材質としては使用者が上部で強く体圧を加えた状態でもその形状の変化が生じないと共に人体に無理を与えない範囲で、例えば木や硬質のゴムなどのように様々な材質で構成することができる。
【００２２】
また、前記据え載せ具１０は下部に嵌合された脚３０により堅固な支持が可能であり、脚３０の下部は、使用者の足が位置するようになる踏み台４０によって固定される。
【００２３】
前記踏み台４０の一方の側には取っ手５０がさらに立設されると共に使用者の足を位置させることができるように足支持台８０，８０が踏み台４０上部の両側に各々固定されることによって、使用者が性巣部を鍛錬する運動をより効果的に遂行することができる。
【００２４】
前記のような本発明の使用方法を簡略に説明すると、使用者が前記据え載せ具１０に騎馬姿勢で座った状態で踏み台４０の一方の側に立設された取っ手５０を捕らえて上体のみを前後進反復運動をすることによって性巣部の筋肉が鍛練されることで、前記据え載せ具１０に使用者が座る場合、この据え載せ具１０の上部に構成された摩擦具２０に使用者の性巣部が位置するようになるため、使用者の前後進反復運動によって性巣部が摩擦具２０に摩擦されて性巣部を構成する筋肉が鍛練される。
【００２５】
このために、使用者は据え載せ具１０に座る時、性巣部が前記摩擦具２０の先端に密着されるようにして座ることが好ましく、運動時間は使用者の身体要件に応じて異なり得るが、大略５分程度遂行することが良い。したがって、運動時間をチェックすることができるように図面には示されていないが、前記据え載せ具１０の上部に所定のタイマーを設けることも良い。
【００２６】
図４は、本発明の性巣部鍛練器具の他の実施例を示したもので、前記摩擦具２０が嵌合される据え載せ具１０の嵌合凹部１１に少なくとも一つの弾性スプリング６０がさらに備えられて成る。
【００２７】
本発明の他の実施例によると、嵌合凹部１１にさらに備えられる弾性スプリング６０により男性の性巣部が上体の反復運動で摩擦具２０と摩擦する間、摩擦がより円滑に行われることができ、弾性スプリング６０の弾性力により摩擦具２０が上下に遊動されるため、性巣部に摩擦と共に打撃の効果も与えることによって、性巣部の筋肉鍛練がより強化される。
【００２８】
一方、図５は本発明の性巣部鍛練器具のさらに他の実施例を示したもので、前記据え載せ具１０の下部に据え載せ具１０の上下高さ調節が可能であるように設置される高低調節具７０がさらに備えられて成る。
【００２９】
前記高低調節具７０は上端に前記摩擦具２０が支持される受け台７１と、前記受け台の中央を支持するボルト７２と、前記ボルト７２の下端に形成された取っ手７３とから構成される。このために、前記据え載せ具１０の底部に、前記ボルト７２と対応するように取り付けられた締結ナット７４がさらに備えられる。
【００３０】
前記高低調節具７０を据え載せ具１０に組立てる過程を説明する。まず、前記受け台７１は摩擦具２０が安定的に上下移動することができるように据え載せ具１０の嵌合凹部１１の底面に挿入され、その上部に摩擦具２０が支持される。そして、前記据え載せ具１０底部の締結ナット７４にボルト７２が螺合されると同時に前記受け台７１の底面にボルト７２が密着されるまで取っ手７３を一方向に回転させる。このようにすると、前記取っ手７３の回転によって締結ナット７４を通過したボルト７２が上方向へ移動しつつ受け台７１を押すようになり、その上部に支持された摩擦具２０は前記据え載せ具１０の嵌合凹部１１に沿って上部へ移動する。また、前記取っ手７３を反対に回転させると前記摩擦具２０を下部へ移動させることができる。したがって、使用者は取っ手７３を左右に回す簡単な動作だけで前記摩擦具２０を容易に上下に移動させ使用者の身体及び運動強度に合うように適当な高さに調節することができるので、その使用が簡便である。
【００３１】
また、図示していないが、性巣部が摩擦具に摩擦されることがスムースに行われるようにするため、前記摩擦具の上端側に別途のクッション部材などをさらに備えることもでき、本発明の目的範囲を逸脱しない限り前記摩擦具は様々な変形実施が可能である。
【００３２】
【発明の効果】
前述のように、本発明による性巣部鍛練器具によると、簡単な上体反復運動により性巣部を構成する筋肉が鍛練されるため、早漏や射精不能、勃起不能などのような性機能障害要素の解決に卓越した効果があり、特に老人のように筋力が弱くて性生活が円滑に行われない者も活発な性生活を維持することができる効果がある。
【図面の簡単な説明】
【図１】本発明の性巣部鍛練器具を示した斜視図である。
【図２】本発明の性巣部鍛練器具の主要部である摩擦具が結合される様態を示した分解斜視図である。
【図３】本発明の性巣部鍛練器具を示した側面図である。
【図４】本発明による性巣部鍛練器具の他の実施例を示した一部省略断面図である。
【図５】本発明による性巣部鍛練器具のさらに他の実施例を示した斜視図である。
【図６】図５のＶＩ−ＶＩ線に従う断面図である。
【符号の説明】
１０：据え載せ具
１１：嵌合凹部
２０：摩擦具
２１：嵌合突起
３０：脚
４０：踏み台
５０：取っ手
８０，８０：足支持台
【図１】
2005006707.tif 000003
【図２】
2005006707.tif 000004
【図３】
2005006707.tif 000005
【図４】
2005006707.tif 000006
【図５】
2005006707.tif 000007
【図６】
2005006707.tif 000008